(57)【特許請求の範囲】
【請求項１】
基端に後方に向けた支軸を、先端に前方に向いた係合突部を夫々固設したガードアームを収納し、上記支軸を前後方向に移動可能に案内すると共に、後方に付勢した箱状をなす縦長の中空のフレームと、上記係合突部が係入可能な嵌め孔及びこれに連設された案内長孔からなる係合長孔を開口させた縦長のストライクと、ガードアームの長さ方向における中央部後方に配設され、水平な支軸の回りを回動可能に支承されると共に、前方にガードアームを収納位置から作動位置に向け突出させるための突片を、後方に連係片を夫々形成した作用部材と、上記ガードアームの支軸の後部に設けられ、ガードアーム作動時先端が作用部材方向に向く長径部を形成したカム片と、このカム片と作用部材の間で縦方向に延在し、カム片に向かう方向に付勢されると共に、ガードアーム作動時カム片に駆動されて作用部材の拘束片と係合し、作用部材を係止する係止部材と、上記作用部材の連係片と係合する一対の脚片を有し、上下方向に移動可能に案内された操作手段とを設け、上記フレームを回転型の障子の開放側端面に、ストライクを障子閉鎖時その開放側端面に対向する障子枠に夫々装着すると共に、操作手段を、その一対の脚片で作用部材の連係片を挟む態様で、障子の室内側に配設したことを特徴とする窓用ガードアーム装置。
【発明の詳細な説明】
【０００１】
【発明の属する技術分野】
この発明は、窓の障子を通気のために半開きとする目的で用いられる窓用ガードアーム装置に関する。この発明が適用される窓としては、その障子が蝶番や枢軸を備えた回転型のもの、すなわち、片開き窓、両開き窓、縦滑り出し窓、横滑り出し窓又はドレイキップ窓等を挙げることができる。
【０００２】
【従来の技術】
ガードアーム装置は、従来は来訪者の確認や郵便物の受渡し等のために出入口の扉用として用いるのが極く一般的で、回転型の窓に対し通気を目的として装着される窓用のガードアーム装置としては適切なものがなく、ほとんど使用されていないのが実情である。
【０００３】
【発明が解決しようとする課題】
この発明の窓用ガードアーム装置は、装置の本体側を全体として扁平に形成し障子又は障子枠の比較的細い框に対しても装着出来るようにすること、並びに、ガードアーム作動時に開放状態にある障子のわずかな間隙から手を差し込み、室内側の操作手段のつまみ等を操作することをもって行われるガードアーム装置の不正な解除、すなわちガードアームとストライクとの係合状態の不正な解除を防止することを目的として提案されたものをである。
【０００４】
【課題を解決するための手段】
上記の目的を達成するため、この発明の窓用ガードアーム装置は、基端に後方に向けた支軸を、先端に前方に向いた係合突部を夫々固設したガードアームを収納し、上記支軸を前後方向に移動可能に案内すると共に、後方に付勢した箱状をなす縦長の中空のフレームと、上記係合突部が係入可能な嵌め孔及びこれに連設された案内長孔からなる係合長孔を開口させた縦長のストライクと、ガードアームの長さ方向における中央部後方に配設され、水平な支軸の回りを回動可能に支承されると共に、前方にガードアームを収納位置から作動位置に向け突出させるための突片を、後方に連係片を夫々形成した作用部材と、上記ガードアームの支軸の後部に設けられ、ガードアーム作動時先端が作用部材方向に向く長径部を形成したカム片と、このカム片と作用部材の間で縦方向に延在し、カム片に向かう方向に付勢されると共に、ガードアーム作動時カム片に駆動されて作用部材の拘束片と係合し、作用部材を係止する係止部材と、上記作用部材の連係片と係合する一対の脚片を有し、上下方向に移動可能に案内された操作手段とを設け、上記フレームを回転型の障子の開放側端面に、ストライクを障子閉鎖時その開放側端面に対向する障子枠に夫々装着すると共に、操作手段を、その一対の脚片で作用部材の連係片を挟む態様で、障子の室内側に配設したことを特徴とする。
【０００５】
【発明の実施の形態】
以下、図面に示す実施例に基いてこの発明について説明する。
図１及び図２において、符号１０は回転型の障子、２０は障子１０の窓ガラス、３０は障子枠、４０は障子枠３０に取り付けられた緩衝材を兼ねるシール材をそれぞれ示している。
【０００６】
回転型の障子１０の開放側端面（開放側框の端面）にフランジ部においてねじ９１等で取り付けられる箱状をなす細長い中空のフレーム１は、フロント板１１に開口１２を有し、ガードアーム装置の非作動時にはその開口１２を通じガードアーム３が収納される。
【０００７】
符号１３はフレーム１内に傾斜させて設けた仕切り板で、前方のガードアーム収納部と後方の空間部とを仕切っている。その仕切り板１３の中央部分には後述の作用部材４を装着する為の逃がし孔１４が設けられている。
【０００８】
ガードアーム３は細長い板状をなし、その先端に前方に向け固設されたフランジ付の結合突部３１を有し、基端には後方に向け固設された支軸３２を有する。そして、該ガードアーム３はフレーム１に対し支軸３２において進退可能かつ回動可能に装着されている。
【０００９】
なお、図１で符号１５はガードアーム３の支軸３２を進退可能かつ回動可能に支持するための支持板で、フレーム１に対して固定してある。
【００１０】
更に、前記のガードアーム３は支軸３２に巻装された圧縮コイルばね等の付勢手段３３により後退する方向に付勢させてあり、図示例の圧縮コイルばね３３はその長さ方向については前記の支持板１５と支軸３２の後部に固設された後に詳述するカム片６との間に挟持弾設させてある。
【００１１】
ガードアーム３の係合突部３１をガードアームの作動時に係合案内させるストライク２は、障子枠３０の所定位置にフランジ部においてねじ９２等で固定されるものである。
【００１２】
図示例の如く例えば浅い箱形に形成されるストライク２の前面部には、図５及び図７に明示するように、ガードアーム３における係合突部３１の先端のフランジ状の膨出部３１ａの径よりも大径の嵌め孔２１ａ及びそれに連続する幅狭の案内長孔２１ｂから成る係合長孔２１を備えている。
【００１３】
符号２２は中空のストライク２内の一端（上端）に設けられた板ばね材製のクリップ手段で、ガードアームの作動時において障子１０がガードアーム３の長さによる制限下で最大角度位置で開放された時、弾性変形してガードアーム３の係合突部３１を自動的に抱持できるようにしてある（図７参照）。
【００１４】
室内外の通気は障子１０がその最大開放角度位置を占める状態において行うのが普通である。
【００１５】
また、図１〜図３に符号４で示す作用部材は、前記のガードアーム３をフレーム１内の収納位置から作動位置まで突出させるためのもので、例えば１枚の板材を水平投影がコ字状をなすように折り曲げて形成してあり、フレーム１に対しその後方の空間部において枢軸４６ｄで回動可能に枢支させてある。
【００１６】
図示例の作用部材４は、図３に示すように、水平投影がコ字状の本体４１、本体４１の前方に突設した突片４２、本体４１の一方の側板に上方に向け突設した拘束片４３及び本体４１の一方の側板に後方に向け突設した連係片４４から成り、更に、本体４１の他方の側板には、後記のクリック手段８の一部をなす一対のＶ字形切欠４５、４５が設けてある。
【００１７】
作用部材４には、それをαの角度範囲（図１参照）で回動させるために、障子１０又は障子枠の室内側に設けた操作手段５が連係させてある。
【００１８】
図示例の操作手段５は、図４に明示するように、障子１０にねじ等で固定される基板５１、基板５１内をつまみ５３によって距離ｌの範囲を上下に摺動できるようにした操作板５２、及び、フレーム１の後部開口１６から突出させた前記作用部材４の連係片４４に可動係合させるために、操作板５２の背面に一体に突設した一対の脚片５４、５４から成る。
【００１９】
前記の操作手段５は操作板５２を直線的に摺動させる形式のものであるが、別の操作手段として、図示はしないが、サムターンのような回動形式のものを用いることもできる。
【００２０】
この場合、サムターンの内端側は作用部材４に連結させ、外端側のつまみ部分は室内側に露出させるものとする。
【００２１】
本発明における上記したガードアーム３の支軸３２の後部には、例えば正面形が長円状をなすカム片６（図３参照）を固設するものとし、そのカム片６と前記の作用部材４との間には、その間を直線的に変位できるようにしかつ圧縮コイルばね等の付勢手段７１でカム片６側に向け付勢させた例えばＬ字状をなす細長の係止部材７が設けてある。
【００２２】
係止部材７についての長さ方向（図１で上下方向）の変位の案内は、フレーム１の内壁並びに後記のクリック手段８における押し部材８１との摺接による案内手段や他の任意の案内手段によって行い得る。
【００２３】
図１及び図３において、符号８は作用部材４に対して必要に応じて設けることができるクリック手段で、先端を尖鋭にし全体をＬ字状とした押し部片８１、その押し部片８１を作用部材４の他方の側板に向け付勢する圧縮コイルばね７１（但し、この圧縮コイルばね７１は係止部材７の付勢手段を兼ねている）及び前記の押し部片８１の尖鋭端が選択的に嵌め込まれる作用部材４の他方の側板上の一対のＶ字形切欠４５、４５から構成されている。
【００２４】
図示例においては、共に側面形がＬ字状をなす係止部材７及び押し部片８１を相互に逆向きに付勢させている共通の付勢手段７１としての圧縮コイルばねは、係止部材７の頂片７ａと押し部片８１の頂片８１ａとの間に挟持されるようにして装着されている。
【００２５】
クリック手段８において、一方のＶ字形切欠４５は作用部材４におけるガードアームの非作動位置（常態位置）に対応して設けられ、他方のＶ字形切欠４５は作用部材４におけるガードアームの作動位置に対応して設けられている。
【００２６】
押し部片８１における長さ方向（図１で上下方向）の変位の案内は、長孔とピンの組で成る案内手段８２、フレーム１の内壁との摺接による案内手段その他任意の案内手段によって行い得る。
【００２７】
上述した係止部材７について、更に詳しく説明すれば、ガードアーム作動時（図６及び図７参照）、ガードアーム３の揺動に伴って支軸３２と共に回動する長円状のカム片６が、その長径部６１で係止部材７の頂片７ａを付勢手段７１に抗して押し込むことになるので、係止部材７は作用部材４に向け押動される。そして、その先端（図６で下端）が作用部材４の拘束片４３に係合する。
【００２８】
この状態では、障子１０は開放状態にあるが、作用部材４は係止部材７との係合により回動が阻止されているので、室外側の人が障子１０と障子枠３０との間の間隙から手を差し込み、操作手段５により作用部材４をガードアーム非作動位置に向け不正に作動させようとしても、その操作は不能である。
【００２９】
次に、図示例の窓用ガードアーム装置の全体としての作用について説明する。
【００３０】
図１及び図２は本装置の常態であるガードアームの非作動状態を示しており、ガードアーム３はフレーム１内の収納位置に納められている。
【００３１】
ここで、室内側の操作手段５のつまみ５３を下方へ変位させると、脚片５４、５４において連係された作用部材４が図１で右回りに回動するので、作用部材４の突片４２は前方に向け突出し、ガードアーム３を付勢手段３３に抗して作動位置に向け進出させる。
【００３２】
このガードアーム３の作動状態では、その係合突部３１がストライク２の嵌め孔２１ａ内に嵌まり込み、そこで、障子１０が開放されると、図７に鎖線で示すように、ガードアーム３はその係合突部３１がストライク２の案内長孔２１ｂに案内されることにより支軸３２をい中心として回動する一方で、ガードアーム３の長さに応じて障子１０の開放角度を制限する。このような障子１０の半開状態において室内外の通気がなされる。
【００３３】
一方、支軸３２の回動によってその後部のカム片６も共に回動し、図６に示すように、カム片６の長径部６１が付勢手段７１に抗して係止部材７を作用部材４に向け押動させ、係止部材７の先端を作用部材４の拘束片４３に係合させる。
【００３４】
そのため、この係合状態では、作用部材４を常態位置に戻す回動（図６で左回りの回動）が不能となる。つまり、操作手段５による操作、すなわちつまみ５３を上方位置に戻す操作が不能となるので、障子１０と障子枠３０との間の間隙を通じてつまみ５３を常態位置に戻すという不正な操作ができないことになる。
【００３５】
従って、室外側の人が作動状態にあるガードアーム３とストライク２との係合を不正に解除（解放）させようとしても、その解除作動は確実に防止され、通気中における賊の窓からの侵入が阻止されることになる。
【００３６】
なお、室内側の居住者がガードアーム３を作動状態から非作動状態に戻すには、障子１０を閉鎖させた後、操作手段５のつまみ５３を常態の位置に戻してやればよい。
【００３７】
障子１０を閉鎖させた場合は、支軸３２上のカム片６も原位置に戻るので、長径部６１による押圧が解かれる係止部材７は付勢手段で上位位置に復帰し、作用部材４との係合が解除される。
【００３８】
この状態では、つまみ５３による操作手段５の操作は自由となり、つまみ５３を元の上位位置（ガードアーム３の非作動の対応位置）に戻してやれば、作用部材４は図６で左回りに回動しその突片４２は後方位置に退く。
【００３９】
ここに、突片４２で後方から押されていたガードアーム３は、その付勢手段３３の付勢力によって後方に退き、フレーム１の収納位置に戻ることになる（図１及び図２参照）。
【００４０】
【発明の効果】
以上に説明したこの発明の窓用ガードアーム装置によれば、装置の本体側を構成する中空のフレームを全体として扁平に形成することができるので、障子又は障子枠の框が比較的細いものであってもその框内に装着することができるという効果を奏する。
【００４１】
また、ガードアーム作動時障子を通気のため半開状態とした際、ガードアームを作動位置に突出させている作用部材の回動を、ガードアームの支軸と共に回動するカム片及びそのカム片により作動される係止部材で自動的かつ選択的に阻止できるようにしたので、室外側の人が障子を扉枠又は他の障子との間のわずかな間隙から手を差し込み、室内側の操作手段を操作してガードアームとストライクとの係合状態を不正に解除しようとしても、そのような操作・作動は行うことができず、防犯上極めて優れているなど種々の効果を奏する。
【図面の簡単な説明】
【図１】この発明の窓用ガードアーム装置の実施例を常態（ガードアームの非作動状態）で示す部分縦断側面図。
【図２】その平面図。
【図３】図１の実施例における要部の分解斜視図。
【図４】図１の実施例から取り外した操作手段を示す図で、（Ａ）は正面図、（Ｂ）は側面図である。
【図５】図１の実施例から取り外したストライクを示す図で、（Ａ）は正面図、（Ｂ）は側面図である。
【図６】図１の実施例をガードアームの作動状態で示す縦断部分側面図。
【図７】そのガードアーム作動状態におけるガードアームとストライクとの係合態様を障子を開放させて示す説明図で、フレーム及びガードアームは正面から見て表わしてあり、ストライクは背面から見て表わしてある。
【符号の説明】
１０  障子
３０  障子枠
１  フレーム
２  ストライク
２１  係合長孔
２１ａ  嵌め孔
２１ｂ  案内長孔
３  ガードアーム
３１  係合突部
３２  支軸
４   作用部材
４２  突片
４３  拘束片
４４  連係片
５  操作手段
５４  脚片
６  カム片
６１  長径部
７  係止部材
【図１】
0004003987.tif 000002
【図２】
0004003987.tif 000003
【図３】
0004003987.tif 000004
【図４】
0004003987.tif 000005
【図５】
0004003987.tif 000006
【図６】
0004003987.tif 000007
【図７】
0004003987.tif 000008